(57)【要約】【課題】  緑樹の枝葉を粉砕して堆肥化したものを主材として、従来無かった野菜等の草本類の盆栽を容易につくることができるようにする。【解決手段】  街路樹等の緑樹を剪定１した枝葉をタブグラインダー等で粉砕２した後、その粉砕物を堆積３して一ないし複数回の切返しを行って、該粉砕物を６０〜７０℃程度の温度に保ちながら発酵・腐熟４させた後、これを篩分け５して、その篩通過物を野菜等の盆栽化材として得た上、これを土と混ぜに前記盆栽化材だけを鉢に入れ、野菜等の茎や枝等の生長を制御して盆栽化する。【選択図】  図１
2005160390.tif 000002
【特許請求の範囲】
【請求項１】
緑樹から切断した枝葉を粉砕した後、その粉砕物を堆積して一ないし複数回の切返しを行って、該粉砕物を所定温度に保ちながら発酵・腐熟させることにより得られる緑樹枝葉粉砕堆肥化物を主材とする草本類の盆栽化材。
【請求項２】
発酵温度が６０〜７０℃の範囲である、請求項１記載の草本類の盆栽化材。
【請求項３】
緑樹枝葉粉砕堆肥化物に無機系土壌改良材および／または有機質資材を加えることを特徴とする、請求項１または請求項２記載の草本類の盆栽化材。
【請求項４】
請求項１〜請求項３のうちのいずれか一項記載の盆栽化材を用いた草本類の盆栽化方法であって、前記盆栽化材を土と混合せずに、盆栽化材だけを鉢に入れ、該鉢内に草本類の種子を播種した後、灌水して、発芽、育苗および盆栽化することを特徴とする、草本類の盆栽化方法。
【請求項５】
請求項１〜請求項３のうちのいずれか一項記載の盆栽化材を用いた草本類の盆栽化方法であって、前記盆栽化材を土と混合せずに、盆栽化材だけを育苗容器に入れ、該容器に草本類の種子を播種して灌水することにより発芽させて育苗し、次に育苗した草本類の苗を育苗容器内の盆栽化材と共に鉢に移植した後、灌水することにより草本類の苗を盆栽化することを特徴とする、草本類の盆栽化方法。
【請求項６】
草本類の種子の播種を別途、播種トレイで行う、請求項４または請求項５記載の草本類の盆栽化方法。
【請求項７】
育苗容器に緑樹枝葉粉砕堆肥化物だけを入れ、草本類の苗を鉢に移植する際に、無機系土壌改良材および／または有機質資材を加えることを特徴とする、請求項５または請求項６記載の草本類の盆栽化方法。
【請求項８】
鉢内の緑樹枝葉粉砕堆肥化物の微生物分解による減量に対応して緑樹枝葉粉砕堆肥化物を補充することを特徴とする、請求項４〜請求項７のうちのいずれか一項記載の草本類の盆栽化方法。
【請求項９】
草本類が野菜であることを特徴とする、請求項４〜請求項８のうちのいずれか一項記載の草本類の盆栽化方法。
【発明の詳細な説明】
【技術分野】
【０００１】
本発明は、緑樹から切断した枝葉を原料とした野菜等の草本類の盆栽化材およびこれを用いた盆栽化方法に関する。
【背景技術】
【０００２】
近年、ガーデニングが盛んに行われるようになっているが、これに伴って家庭で野菜の栽培が行われることも増えてきている。通常、野菜をプランター等の栽培容器に入れて栽培する場合、黒土等の基本用土に腐葉土等の改良用土を適当な割合で混合して培養土をつくり、適切な施肥を行うのが一般的である。
【０００３】
一方、盆栽は前述した野菜栽培のように、作物の収穫を楽しむのではなく、鉢植えにおける小空間内での植木の洗練された枝ぶり等を鑑賞することに主眼が置かれ、また前記野菜或いは草花のように短期間での栽培を楽しむものではなく、長期間にわたる整姿によって造られた植木の形が創出する人工の自然美を楽しむものである。従って、盆栽と前記野菜栽培等とは、植物の栽培目的が相違すると言える。
【０００４】
そして、盆栽を造る場合、用土、植え方、灌水のし方、施肥、整姿、置場、病虫外の防除に注意することが要点となるが、特に重要な用土としては、赤土粒に軟砂を適当な割合で混合させたものが知られている。
【０００５】
また、近年、緑樹における剪定枝葉等の持つ栄養成分に着目して、剪定枝葉等を粉砕して該粉砕物から堆肥を製造し、該堆肥を土壌改良材として用いるようになってきており、例えば、花卉等の栽培においては、前記堆肥が有機質資材として利用されている。このような有機質資材の場合、通常、Ｃ／Ｎ比は３０〜３５の範囲であり、畑に施用する際には、窒素肥料や窒素に富んだ家畜糞堆肥等と併用されている。
【０００６】
一方、前記剪定枝葉を原料とする堆肥を育苗用土や花鉢物用土として使用する場合には、前記堆肥を用土の３〜４割程度混入していた。
【非特許文献１】技術監修  杉井明美「ガーデナーズ・バイブル２」草土出版  平成８年
【発明の開示】
【発明が解決しようとする課題】
【０００７】
従来、盆栽としては、針葉樹類や広葉樹類が用いられ、また盆栽をつくる人は高齢の男性が多かったが、近年のガーデニングブームや心の癒し志向等に伴って、高齢者以外の人でも草花感覚でミニ盆栽等の新しい盆栽をつくるようになってきている。
【０００８】
しかしながら、前記野菜の家庭栽培では、作物を収穫することが目的であり、また植物としての野菜を盆栽化して長期間栽培するといったことは実際上難しかった。
【０００９】
本発明の目的は、新しい盆栽としての野菜等の盆栽を容易につくることができる草本類の盆栽化材およびこれを用いた草本類の盆栽化方法を提供することにある。
【課題を解決するための手段】
【００１０】
本件の発明者は、剪定枝葉等の緑樹の枝葉を粉砕して堆肥化させたもの（以下「緑樹枝葉粉砕堆肥化物」という）を用いて、野菜種子の播種、育苗を行い、更に前記緑樹枝葉粉砕堆肥化物をそのまま用いて育苗した野菜苗に適宜、灌水等を行って長期間栽培することにより、野菜苗の葉の小型化、茎部および根部の健全な発達が生じて最終的に野菜を盆栽のように栽培できることを見出し、以下に示す本発明を完成させたものである。
【００１１】
なお、本願において、野菜等、草本類の盆栽化とは、野菜等の苗が徒長せずに、ほぼそのままの高さとなったり、葉が通常の定植の場合等と比べて小型化したり、茎部が硬化したり、根部が健全に発達したりし、また草本類の種類によっては、小さな開花や結実等が生
じたりすることにより、盆栽の樹木のような形態となることをいう。
【００１２】
請求項１記載の本発明は、緑樹から切断した枝葉を粉砕した後、その粉砕物を堆積して一ないし複数回の切返しを行って、該粉砕物を所定温度に保ちながら発酵・腐熟させることにより得られる緑樹枝葉粉砕堆肥化物を主材とする草本類の盆栽化材である。
【００１３】
緑樹から切断した枝葉とは、草本類の盆栽化のために、特に樹木から切断したものでも良いが、街路樹や公園・庭園等における樹木の剪定によって大量に発生した枝葉を用いれば、資源の有効利用が図られる。
【００１４】
請求項２記載の本発明は、請求項１記載の盆栽化材について、発酵温度を６０〜７０℃の範囲としたことを特徴とするものである。
【００１５】
請求項３記載の本発明は、請求項１または請求項２記載の盆栽化材について、緑樹枝葉粉砕堆肥化物に、無機系土壌改良材および／または有機質資材を加えることを特徴とするものである。
【００１６】
前記無機系土壌改良材としては、例えば、バーミキュライト、パーライト、イソライト等が挙げられる。
【００１７】
また、前記有機質資材としては、例えば、ピートモス、バーク堆肥や牛糞・鶏糞堆肥等の緑樹以外のものを原料とする堆肥、或いはもみ殻等が挙げられる。なお、草本類の成長は、基本的には前記緑樹枝葉粉砕堆肥化物の量に応じて決まるため、草本類をそれ以上の高さに成長させないためには、前記有機質資材として、肥効がほとんどないピートモスやバーク堆肥を用いるのが好ましい。
【００１８】
そして、前記ピートモスやバーク堆肥、或いは無機系土壌改良材は、水分保持性や通気性を向上させるものである。
【００１９】
請求項４記載の本発明は、請求項１〜請求項３のうちのいずれか一項記載の盆栽化材を用いた草本類の盆栽化方法であって、前記盆栽化材を土と混合せずに、盆栽化材だけを鉢に入れ、該鉢内に草本類の種子を播種した後、灌水して、発芽、育苗および盆栽化することを特徴とするものである。
【００２０】
請求項５記載の本発明は、請求項１〜請求項３のうちのいずれか一項記載の盆栽化材を用いた草本類の盆栽化方法であって、前記盆栽化材を土と混合せずに、盆栽化材だけを育苗容器に入れ、該容器に草本類の種子を播種して灌水することにより発芽させて育苗し、次に育苗した草本類の苗を育苗容器内の盆栽化材と共に鉢に移植した後、灌水することにより草本類の苗を盆栽化することを特徴とするものである。
【００２１】
前述したように、緑樹の剪定枝葉等を粉砕して堆肥化したものを土と混ぜて育苗や栽培
に用いることは一般に行われているが、本願の発明者は、剪定枝葉等を粉砕して発酵させ
た緑樹枝葉粉砕堆肥化物を土と混ぜずに用いることにより、野菜等の苗の徒長が抑制され、
更に該苗を定植せずに、鉢に移植して長期間適当に灌水等の管理を行うことにより、野菜
等の草本類の苗が盆栽化することを見出したのである。
【００２２】
緑樹の剪定枝葉等の剪定材は、植物の生体そのものであり、落葉や落枝ではないので、
生体内に養分元素が蓄積した状態であり、これを発酵させたものは、堆肥として用いられ
る。そして、かかる堆肥化の進行は、剪定材中の糖類、タンパク質が分解され、ヘミセル
ロース、セルロース、リグニンの順に分解し、中温性細菌や菌類、好熱性細菌や糸状菌の
活動が旺盛となり、堆肥の熟成が進む。そのため、堆肥化した製品は、植物の生育に必要
な養分元素を水溶性の形態で多量に含んでおり、別途肥料を加えなくても植物の苗が生育
可能な量の養分が保持されている。
【００２３】
前記請求項４および請求項５記載の盆栽化方法においては、容器や鉢に入れた緑樹枝葉粉砕堆肥化物の量に応じて野菜等の草本類の茎や枝が成長し、ある高さまで成長した茎等は、その後、伸びずに盆栽化していくのである。
【００２４】
請求項６記載の本発明は、前記請求項４または請求項５記載の盆栽化方法について、種子の播種を別途、播種トレイで行うものである。
【００２５】
請求項７記載の本発明は、前記請求項５または請求項６記載の盆栽化方法について、育苗容器に緑樹枝葉粉砕堆肥化物だけを入れ、草本類の苗を鉢に移植する際に、無機系土壌改良材および／または有機質資材を加えることを特徴とするものである。
【００２６】
前記無機系土壌改良材等は、前述した通り、鉢内の通気性、保水性等を改善するために、必要に応じて鉢に入れられるものであるが、該鉢内の草本類の茎や枝の成長に寄与しないため、草本類の茎等の長さは、前述したように、鉢内の緑樹枝葉粉砕堆肥化物の量に対応することとなる。
【００２７】
請求項８記載の本発明は、請求項４〜請求項７のうちのいずれか一項記載の盆栽化方法について、鉢内の緑樹枝葉粉砕堆肥化物の微生物分解による減量に対応して緑樹枝葉粉砕堆肥化物を補充することを特徴とするものである。
【００２８】
請求項９記載の本発明は、草本類が野菜であることを特徴とするものである。
【発明の効果】
【００２９】
本発明の草本類の盆栽化材およびこれを用いた盆栽化方法によれば、野菜等の草本類の種子の発芽・育苗に必要な養分元素が供給されると共に、鉢に入れられた緑樹枝葉粉砕堆肥化物の量に応じて苗の茎、枝および葉の成長が制御されて、容易に盆栽化することができる。したがって、従来無かった野菜等の草本類の盆栽という新しい盆栽をつくることが可能となり、また前述したように、その作業・管理も容易であるため、盆栽についての詳しい知識を持たない人でも前述した野菜等の盆栽を楽しむことができるという利点がある。
【発明を実施するための最良の形態】
【００３０】
以下に、本発明の実施形態を述べるが、本発明は、かかる実施形態に限定されるものではなく、その要旨の範囲内で種々の変形実施が可能である。
【００３１】
先ず、盆栽化材の主材である緑樹枝葉粉砕堆肥化物の製造の実施形態について述べると、図１に示すように、例えば緑樹の枝葉を剪定(1)した際に生ずる剪定枝葉を約３ｃｍ程度の穴の外刃を有する市販のタブグラインダーで粉砕(2)し、その粉砕物を堆積(3)して該堆積物の発酵温度が６０〜７０℃の範囲となるように、前記堆積物の切返しを複数回行い、約１０ヶ月程度腐熟・発酵（完熟）(4)させた後、これを約５ｍｍ程度の目の篩に通し(5)、その通過物を緑樹枝葉粉砕堆肥化物として得た。
【００３２】
前記緑樹枝葉粉砕堆肥化物に含まれる養分元素量を分析した結果を表１に示す。
【００３３】
【表１】
2005160390.tif 000003
【００３４】
前記表１に示すように、緑樹枝葉粉砕堆肥化物のｐＨは７．３（中性）であるため、緑樹枝葉粉砕堆肥化物のｐＨを特に調整する必要はない。そして、緑樹枝葉粉砕堆肥化物は、植物生育の必須元素であるカリウム、カルシウム、マグネシウムを水溶性の形態で多量に含んでいる。また、Ｃ／Ｎ比は１６．５であって、完熟堆肥と同様の特徴を示している。したがって、緑樹枝葉粉砕堆肥化物は、野菜苗の栽培期間中に窒素の無機化が起こり得るものであり、必須元素である窒素の供給能を有する。
【００３５】
次に、前記緑樹枝葉粉砕堆肥化物を用いた野菜の盆栽化方法について述べると、本実施形態では、図２に示すように、セルトレイ(21)を用い、その各育苗セル(22)に適度（湿りを感ずる程度）の水分状態とした緑樹枝葉粉砕堆肥化物(23)を一定量ずつ入れる。すなわち、土と混合せずに、前記緑樹枝葉粉砕堆肥化物(23)だけを各育苗セル(22)に入れるのである。そして、前記緑樹枝葉粉砕堆肥化物(23)だけが入った各育苗セル(22)に野菜の種子(24)を播種した後、灌水する。
【００３６】
また、前記の場合において、緑樹枝葉粉砕堆肥化物にピートモス、バーク堆肥、もみ殻等の他の有機質資材を適当量だけ混入させることもある。この他、前記育苗期間中は、剪定枝葉を原料とする本実施形態の盆栽化材で保水性の高い部分をセルトレイ(21)の底面に敷いて、苗の過度の乾燥を避けるが、セルトレイ(21)の底面を地面（土壌）に接して育苗すると、セルトレイ(21)の育苗セル(22)内で根鉢形成が十分に行われないまま、苗がセルトレイ(21)内で大きく生長してしまう。また、このような事を避けるため、セルトレイ(21)の底面と地面との間に一定の間隔をあける（エアプルーニング）ようにしても良い。
【００３７】
次に、前記セルトレイ(21)で育苗した野菜苗(25)を鉢(26)に移植した。この際、鉢(26)の体積がセルトレイ(21)における育苗セル(22)の体積よりも大きいため、その体積増加分だけ無機系土壌改良材(27)を緑樹枝葉粉砕堆肥化物と共に鉢(26)に入れた。そして、その後、定期的に灌水を行うと共に、緑樹枝葉粉砕堆肥化物が微生物の分解に伴って減量した場合には、更に新たな緑樹枝葉粉砕堆肥化物(23)を補充して、最終的に野菜盆栽を得た。
【実施例１】
【００３８】
次に、ミニトマトとピーマンについての盆栽化の実施例を説明する。
【００３９】
７２穴のセルトレイを用い、その育苗セルに適度（湿りを感ずる程度）の水分状態とした前記緑樹枝葉粉砕堆肥化物を一定量ずつ入れる。次に、ピーマンとミニトマトの種を育苗セルに播種し(ミニトマトは平成１５年３月７日に播種、ピーマンは平成１５年３月１８日に播種)、定期的に灌水を行った。そして、約１ヶ月後に前記セルトレイ内で育苗したピーマンとミニトマトの苗を育苗セル内の緑樹枝葉粉砕堆肥化物と共に鉢に移植し（ミニトマトは平成１５年４月６日に移植、ピーマンは平成１５年４月２９日に移植)、またこの際、育苗セルに対する鉢の体積増加分だけ無機系土壌改良材を加えた。その後、定期的に灌水等の管理を行った結果、前記移植後約６ヵ月〜７ヶ月後の平成１５年１０月２８日において、ミニトマトは図３に示すように盆栽化し、ピーマンは図４に示すように盆栽化し、且つ小さな実も付いた状態となった。また、前記ミニトマトの盆栽は、約１０ｃｍの高さであり、ピーマンは約８ｃｍの高さであった。
【００４０】
前述した実施形態および実施例においては、セルトレイで播種、育苗した後、鉢に移植したが、播種を別途、播種トレイで行っても良いし、また播種、育苗および盆栽化のすべてを鉢で行う場合もある。
【産業上の利用可能性】
【００４１】
本発明の草本類の盆栽化材およびこれを用いた盆栽化方法によれば、従来無かった野菜等の盆栽が得られるため、盆栽の新たな分野が開拓され得る。
【図面の簡単な説明】
【００４２】
【図１】実施形態における緑樹枝葉粉砕堆肥化物の製造工程を示す図である。
【図２】実施形態における盆栽化方法を示す図である。
【図３】ミニトマトの盆栽化状態を示す写真である。
【図４】ピーマンの盆栽化状態を示す写真である。
【符号の説明】
【００４３】
１：  枝葉の剪定
２：  枝葉の粉砕
３：  粉砕物の堆積
４：  堆積物の腐熟・発酵
５：  発酵物の篩分け
２１：  セルトレイ
２２：  育苗セル
２３：  緑樹枝葉粉砕堆肥化物
２４：  野菜の種子
２５：  野菜苗
２６：  鉢
２７：  土壌改良材
【図１】
2005160390.tif 000004
【図２】
2005160390.tif 000005
【図３】
2005160390.tif 000006
【図４】
2005160390.tif 000007